(57)【要約】
【課題】  簡単に製造することができ、製造コストを安価にすることができる記録媒体保持機能付きファイルを提供する。
【解決手段】  見開き可能となったファイル１０であって、ファイル１０の内側に記録媒体保持部１６を備える。記録媒体保持部１６は、一部の周端縁が閉鎖されて対向する２面を備えた袋部１６ａを備え、袋部１６ａの一方の面側の遊端縁付近部分に、遊端縁の外縁にほぼ沿ってスリット１６ｂが形成され、スリット１６ｂよりも遊端縁側が折り返し部１６ｃとなり、袋部１６ａに収容された記録媒体ディスクに対して折り返し部１６ｃを袋部１６ａ内に折り返すことにより、記録媒体ディスクを保持し得るようになっている。
【選択図】  図２
0003101262.tif 000002
【実用新案登録請求の範囲】
【請求項１】
記録媒体ディスクを保持する記録媒体保持具であって、
一部の周端縁が閉鎖されて対向する２面を備えた袋部（２６ａ）を備え、袋部（２６ａ）の一方の面側の遊端縁付近部分に、遊端縁の外縁にほぼ沿ってスリット（２６ｂ）が形成され、スリット（２６ｂ）よりも遊端縁側が折り返し部（２６ｃ）となり、前記袋部（２６ａ）に挿入された記録媒体ディスクに対して前記折り返し部（２６ｃ）を袋部（２６ａ）内へと折り返すことにより、記録媒体ディスクを袋部（２６ａ）内で保持し得るようにした記録媒体保持具。
【請求項２】
前記袋部（２６ａ）の内端縁と記録媒体ディスクとの最接近点（Ｃ１、Ｃ２）と、スリット（２６ｂ）の両端（Ｓ１、Ｓ２）とが、それぞれ記録媒体ディスクの輪郭線上にほぼ位置するように配置される請求項１記載の記録媒体保持具。
【請求項３】
前記スリット（２６ｂ）は、収容するべき記録媒体ディスクの輪郭の一部に合致した形状をなして伸びることを特徴とする請求項２記載の記録媒体保持具。
【請求項４】
前記袋部（２６ａ）は、シート状部材を折り返して、重なり合った端縁の少なくとも一部を接合して形成されるものであることを特徴とする請求項１記載の記録媒体保持具。
【請求項５】
見開き可能となったファイル（１０）であって、
一部の周端縁が閉鎖されて対向する２面を備えた袋部（１６ａ）を備え、袋部（１６ａ）の一方の面側の遊端縁付近部分に、遊端縁の外縁にほぼ沿ってスリット（１６ｂ）が形成され、スリット（１６ｂ）よりも遊端縁側が折り返し部（１６ｃ）となり、袋部（１６ａ）に収容された記録媒体ディスクに対して前記折り返し部（１６ｃ）を袋部内に折り返すことにより、記録媒体ディスクを保持し得るようにした記録媒体保持部（１６）を備えた、記録媒体保持機能付きファイル。
【請求項６】
前記袋部（１６ａ）の内端縁と記録媒体ディスクとの最接近点（Ｃ１、Ｃ２）と、スリット（１６ｂ）の両端（Ｓ１、Ｓ２）とが、それぞれ記録媒体ディスクの輪郭線上にほぼ位置するように配置される請求項５記載の記録媒体保持機能付きファイル。
【請求項７】
前記スリット（１６ｂ）は、収容するべき記録媒体ディスクの輪郭の一部に合致した形状をなして伸びることを特徴とする請求項６記載の記録媒体保持機能付きファイル。
【請求項８】
前記袋部（１６ａ）は、シート状部材を折り返して、重なり合った端縁の少なくとも一部を接合して形成されるものであることを特徴とする請求項５記載の記録媒体保持具。
【請求項９】
記録媒体ディスクを保持する記録媒体保持部（１６）を有する記録媒体保持機能付きシート（２０、２５）であって、
前記記録媒体保持部（１６）は、一部の周端縁が閉鎖されて対向する２面を備えた袋部（１６ａ）を備え、袋部（１６ａ）の一方の面側の遊端縁付近部分に、遊端縁の外縁にほぼ沿ってスリット（１６ｂ）が形成され、スリット（１６ｂ）よりも遊端縁側が折り返し部（１６ｃ）となり、袋部（１６ａ）に収容された記録媒体ディスクに対して前記折り返し部（１６ｃ）を袋部内に折り返すことにより、記録媒体ディスクを保持し得るようにした記録媒体保持機能付きシート。
【請求項１０】
前記袋部（１６ａ）の内端縁と記録媒体ディスクとの最接近点（Ｃ１、Ｃ２）と、スリット（１６ｂ）の両端（Ｓ１、Ｓ２）とが、それぞれ記録媒体ディスクの輪郭線上にほぼ位置するように配置される請求項９記載の記録媒体保持機能付きシート。
【請求項１１】
前記スリット（１６ｂ）は、収容するべき記録媒体ディスクの輪郭の一部に合致した形状をなして伸びることを特徴とする請求項１０記載の記録媒体保持機能付きシート。
【請求項１２】
前記袋部（１６ａ）は、シート状部材を折り返して、重なり合った端縁の少なくとも一部を接合して形成されるものであることを特徴とする請求項９記載の記録媒体保持機能付きシート。
【考案の詳細な説明】
【技術分野】
【０００１】
本考案は、コンパクトディスク、ミニディスク、ＣＤ−ＲＯＭ、ＤＶＤ、レーザーディスク等の記録媒体ディスクを保持または収容するのに適した記録媒体保持具、記録媒体保持機能付きファイル及び記録媒体保持機能付きシートに関する。
【背景技術】
【０００２】
従来のこの種の記録媒体ディスクを保持または収容するものとしては、例えば、実用新案登録番号第３０４１８８４号公報、特開平１０−３５７６７号公報、特開２０００−１２８２６５号公報等に記載されたものが知られている。
実用新案登録番号第３０４１８８４号公報に記載のものは、硬質のプラスチックシートに、隆起部と、隆起部内にあって記録媒体ディスクの中央孔に係合するセンターコアとを形成したものであって、プラスチックシートの裏面には接着テープ層を介して保護シートを接着しており、これによれば、保護シートを剥して、接着テープ層をファイル、箱、本等の任意のものに貼り付けることにより、任意のものにコンパクトディスクを保持することができるようになっている。
【０００３】
また、特開平１０−３５７６７号公報または特開２０００−１２８２６５号公報に記載の記録媒体ディスク収納体は、基板の片面または両面に表面が平滑なシリコーン樹脂層を積層してディスク収納部とし、該ディスク収納部に記録媒体ディスクを密着保持させるようにして、厚みを抑えるようにしている。
しかしながら、上記従来の記録媒体保持具では、隆起部を成形したり、またはシリコーン樹脂層を積層したりして、その製造に手間がかかり製造コストが高くなるという問題がある。
【０００４】
【特許文献１】実用新案登録番号第３０４１８８４号公報
【特許文献２】特開平１０−３５７６７号公報
【特許文献３】特開２０００−１２８２６５号公報
【考案の開示】
【考案が解決しようとする課題】
【０００５】
本考案の目的は、前述した課題を解決するために、簡単に製造することができ、製造コストを安価にすることができる記録媒体保持具、記録媒体保持機能付きファイル及び記録媒体保持機能付きシートを提供することである。
【課題を解決するための手段】
【０００６】
前述した目的を達成するために、本考案のうち第１の考案は、記録媒体ディスクを保持する記録媒体保持具であって、
一部の周端縁が閉鎖されて対向する２面を備えた袋部を備え、袋部の一方の面側の遊端縁付近部分に、遊端縁の外縁にほぼ沿ってスリットが形成され、スリットよりも遊端縁側が折り返し部となり、前記袋部に挿入された記録媒体ディスクに対して前記折り返し部を袋部内へと折り返すことにより、記録媒体ディスクを袋部内で保持し得るようにしたものである。
【０００７】
本考案のうち第２の考案は、見開き可能となったファイルであって、
一部の周端縁が閉鎖されて対向する２面を備えた袋部を備え、袋部の一方の面側の遊端縁付近部分に、遊端縁の外縁にほぼ沿ってスリットが形成され、スリットよりも遊端縁側が折り返し部となり、袋部に収容された記録媒体ディスクに対して前記折り返し部を袋部内に折り返すことにより、記録媒体ディスクを保持し得るようにした記録媒体保持部を備えた、ものである。
【０００８】
本考案のうち第３の考案は、記録媒体ディスクを保持する記録媒体保持部を有する記録媒体保持機能付きシートであって、
前記記録媒体保持部は、一部の周端縁が閉鎖されて対向する２面を備えた袋部を備え、袋部の一方の面側の遊端縁付近部分に、遊端縁の外縁にほぼ沿ってスリットが形成され、スリットよりも遊端縁側が折り返し部となり、袋部に収容された記録媒体ディスクに対して前記折り返し部を袋部内に折り返すことにより、記録媒体ディスクを保持し得るようにしたものである。
【０００９】
好ましくは、前記袋部の内端縁と記録媒体ディスクとの最接近点と、スリットの両端とは、それぞれ記録媒体ディスクの輪郭線上にほぼ位置するように配置されるとよい。この場合、前記スリットは、収容するべき記録媒体ディスクの輪郭の一部に合致した形状をなして伸びるとよい。
さらに、前記袋部は、シート状部材を折り返して、重なり合った端縁の少なくとも一部を接合して形成されることができる。
【考案の効果】
【００１０】
本考案によれば、記録媒体ディスクを収容する際には、袋部に記録媒体ディスクを挿入し、次いで、折り返し部を袋部の内側及び記録媒体ディスクの裏側に折り込む。これにより、折り返し部が袋部の蓋となり、記録媒体ディスクは袋部内に収まり、落下が防止される。こうして、簡単な構成で安価に記録媒体ディスク保持を行うことができるようになる。
【００１１】
また、袋部の内端縁と記録媒体ディスクとの最接近点と、スリットの両端とが、それぞれ記録媒体ディスクの輪郭線上にほぼ位置するようになっている場合には、スリットの両端によって記録媒体ディスクが保持されるために、記録媒体ディスクのファイル面に平行な方向の移動が規制され、記録媒体ディスクの移動を阻止することができる。
【００１２】
また、スリットの形状が、収容する記録媒体ディスクの輪郭に合致した形状となっていると、記録媒体ディスクを収容したときの見栄えを良好にすることができる。
さらに、前記袋部は、シート状部材を折り返して、重なり合った端縁の少なくとも一部を接合して形成されるようにすると、記録媒体保持具、記録媒体保持機能付きファイルまたは記録媒体保持機能付きシートを部品点数が少なく且つ簡単に製造することができる。
【考案を実施するための最良の形態】
【００１３】
以下、図面を用いて本考案の実施の形態を説明する。本考案は下記実施形態に限定されるものではない。
【００１４】
（第１実施形態）
図１〜図４は本考案の第１の実施形態を表す全体斜視図である。図においてファイル１０は、表表紙１２と裏表紙１４とが見開き自在となって構成される。表表紙１２と裏表紙１４とは、一枚のシート状部材で構成され、その中央が折線１３となって折り畳み可能となっている。例えば、このシート状部材は、ポリプロプレン、ポリエチレン、塩化ビニール等の任意の合成樹脂、紙、合成繊維などの材質から構成することができ、折り曲げ可能な程度な硬度を有する。
【００１５】
図２は、ファイル１０を見開いた状態の図である。表表紙１２と裏表紙１４の、折り畳んだ状態において内側の面となる裏面の一部には、記録媒体保持部１６が設けられている。この記録媒体保持部１６は、裏表紙１４となる部分から一体的に連続して下方に延びる部分を折り返して、その折り返した部分の一辺を、裏表紙１４となる部分の側端縁に熱溶着、高周波ウエルダ、接着材等により接合することにより、側端縁と下端縁とが閉鎖されて形成された袋部１６ａを有している。こうして、袋部１６ａは対向する２面を備える。
【００１６】
記録媒体保持部１６の面積は、収容する記録媒体ディスクの寸法にほぼ適合した面積となっている。記録媒体保持部１６の袋部１６ａの上側の面の遊端縁付近には、遊端縁の外縁にほぼ沿ってスリット１６ｂが形成されており、このスリット１６ｂよりも遊端縁側が折り返し部１６ｃとなる。この例では、スリット１６ｂの形状は、収容する記録媒体ディスクの輪郭に合致した形状となっており、これにより、記録媒体ディスクを収容したときの見栄えを良好にすることができる。
【００１７】
他方の表表紙１２の裏面にも同様の記録媒体保持部１６を設けても良いが、この例では、一般収容部１８が設けられている。一般収容部１８は、記録媒体保持部１６と同様に、表表紙１２から一体的に連続して下方に延びる部分を折り返して、その折り返した部分の一辺を、表表紙１２となる部分の側端縁に熱溶着、高周波ウエルダ等により溶着することにより形成された袋部によりなるものである。
【００１８】
以上のように構成されるファイル１０において、記録媒体ディスクＤを収容する際には、記録媒体保持部１６の袋部１６ａに記録媒体ディスクＤを挿入し、次いで、折り返し部１６ｃを袋部１６ａの内側及び記録媒体ディスクＤの裏側に折り込む。これにより、折り返し部１６ｃが袋部１６ａの蓋となり、記録媒体ディスクＤは袋部１６ａ内に収まる。
【００１９】
袋部１６ａの内端縁と記録媒体ディスクＤとの最接近点Ｃ１、Ｃ２と、スリット１６ｂの両端Ｓ１、Ｓ２とが、それぞれ記録媒体ディスクＤの輪郭線上にほぼ位置するようになっており、且つこれらのＣ１、Ｃ２、Ｓ１、Ｓ２が記録媒体ディスクＤの輪郭上に、記録媒体ディスクＤを２分したときの片側のみに片寄らないように、分散して配置されていると好都合であり、この複数の点、特に、スリットの両端Ｓ１、Ｓ２によって記録媒体ディスクＤが保持されるために、記録媒体ディスクＤのファイル面に平行な方向の移動が規制され、記録媒体ディスクＤの移動は阻止される。尚、最接近点Ｃ１、Ｃ２と、スリット１６ｂの両端Ｓ１、Ｓ２とは、厳密に記録媒体ディスクＤの輪郭上に位置する必要はなく、多少の遊びがあっても許容可能であり、その場合であっても袋部１６ａの２面の挟みつけ効果によって記録媒体ディスクＤの移動はある程度防ぐことができる。
【００２０】
仮に、記録媒体ディスクＤを収容した状態で、ファイル１０を逆さまに配置した場合に、記録媒体ディスクＤからの重力は、スリット１６ｂの両端Ｓ１、Ｓ２に作用する。しかしながら、この両端Ｓ１、Ｓ２は折り返し部１６ｃを折り返した折り線上に位置しており、この位置に作用する力は、折り返し部１６ｃを戻そうとする方向の力にはならないため、折り返し部１６ｃは戻ることなく折り返した状態を維持し、記録媒体ディスクＤは落下することはない。
こうして、非常に簡単な構成でありながら、確実に記録媒体ディスクＤを保持することができるようになる。
【００２１】
記録媒体保持部１６は、スリット１６ｂが存在するのを除けば、一般収容部１８の構成と同様であるので、記録媒体ディスクＤを収容しない場合には、一般収容部１８と同様にその袋部１６ａに通常の書類、シートなどを挟む用途として使用することができる。
【００２２】
（第２実施形態）
図５は、本考案の第２の実施形態を表す全体図である。この実施形態は、ファイル１０ではなく、ちらし、パンフレット書等のシートに本考案を適用した例である。図において、シート２０は、シート状部材で構成される。シート状部材は、ポリプロプレン、ポリエチレン、塩化ビニール等の任意の合成樹脂、紙、合成繊維などとすることができ、折り曲げ可能な程度な硬度を有する。
【００２３】
このシート２０の一部に記録媒体保持部１６が形成される。記録媒体保持部１６は、第１実施形態と同様に構成され、シート２２となる部分から一体的に連続して下方に延びる部分を折り返して、その折り返した部分の一辺を、シート２２となる部分の側端縁に熱溶着、高周波ウエルダ、接着等により接合することにより、側端縁と下端縁とが閉鎖されて形成された袋部１６ａを有している。
【００２４】
他の構成は第１実施形態と同様であるので説明を省略するが、シート２０などにおいても記録媒体ディスクの落下を防止することができるので、シート２０を持ち運びまたは頒布する場合などにも便利である。
【００２５】
（第３実施形態）
図６は、本考案の第３の実施形態を表す全体図である。この実施形態は、説明書、雑誌、本等の冊子２４の１つのページを構成するシート２５に記録媒体保持部１６を形成した例である。冊子２４のあるページを構成するシート２５に、別体のシートの側端縁と下端縁とが貼り付けられて、側端縁と下端縁とが閉鎖された袋部１６ａが形成されている。
この実施形態においても、同様に作用させることができ、冊子２４をどのような向きにしても記録媒体ディスクＤの落下を防止することができ、確実に記録媒体ディスクＤを保持することができる。
【００２６】
（第４実施形態）
図７は、本考案の第４の実施形態を表す全体図である。この実施形態は、記録媒体保持具３０としての例であり、その基本的構成は、記録媒体保持部１６と同じであり、一部の周端縁が閉鎖されて対向する２面を備えた袋部２６ａを備え、袋部２６ａの一方の面側の遊端縁付近部分に、遊端縁の外縁にほぼ沿ってスリット２６ｂが形成され、スリット２６ｂよりも遊端縁側が折り返し部２６ｃとなり、同様に作用させることができる。      
【００２７】
尚、本考案は以上の実施形態に限定されることなく、請求の範囲内で様々な変形が可能であり、例えば、次のような変更を行うことができる。
袋部１６ａ、２６ａは、図１、図５、図７に示した例では、裏表紙１４またはシート２０と一体となる部分を折り返すことにより構成しており、これにより部品点数を低減すると共に構成を簡単にしていたが、これに限るものではなく、図６に示す例のように、裏表紙１４またはシート２０とは別体のシートを重ね合わせて、そのシートの端縁を裏表紙１４またはシート２０と熱溶着、高周波ウエルダ、接着等により接合することとしてもよい。
【００２８】
また、以上の例では、スリット１６ｂ、２６ｂは、収容する記録媒体ディスクＤの輪郭の一部に一致する形状で伸びており、これにより、記録媒体ディスクＤを収容したときの見栄えを良好にしていたが、これに限るものではなく、図８に示すように、全く異なる形状であってもよい。その場合であっても、スリット１６ｂ、２６ｂの両端Ｓ１、Ｓ２と、袋部１６ａの内端縁と記録媒体ディスクＤとの最接近点Ｃ１、Ｃ２とが、収容するべき記録媒体ディスクＤの輪郭線にほぼのるようになっているとよいが、但し、完全に輪郭線上にのっている必要はなく、その場合に多少の遊びがあっても構わない。
【００２９】
また、以上の例では、袋部１６ａ、２６ａは矩形であり、その矩形の一部の辺である２辺を閉鎖することで構成したが、これに限るものではなく、袋部１６ａ、２６ａは任意の形状とすることも可能であり、さらに、その輪郭の任意の部分が閉鎖されていても良い。例えば、袋部１６ａ、２６ａの閉鎖される部分が、記録媒体ディスクＤの輪郭に合致するような輪郭であっても良い。
【図面の簡単な説明】
【００３０】
【図１】本考案の第１実施形態に係る記録媒体保持機能付きファイルを表す全体斜視図である。
【図２】第１実施形態に係る記録媒体保持機能付きファイルを見開いた状態の正面図である。
【図３】第１実施形態に係る記録媒体保持機能付きファイルに記録媒体ディスクを収容した場合の見開いた状態の正面図である。
【図４】図３の４−４線に沿って見た断面図である。
【図５】本考案の第２実施形態に係る記録媒体保持機能付きシートを表す正面図である。
【図６】本考案の第３実施形態に係る記録媒体保持機能付き冊子を表す正面図である。
【図７】本考案の第４実施形態に係る記録媒体収容具の正面図である。
【図８】本考案の他の折り返し部を持つ記録媒体保持部を表す正面図である。
【符号の説明】
【００３１】
１０  ファイル
１６  記録媒体保持部
１６ａ、２６ａ  袋部
１６ｂ、２６ｂ  スリット
１６ｃ、２６ｃ  折り返し部
２０、２５  シート
３０  記録媒体保持具
Ｄ    記録媒体ディスク
【図１】
0003101262.tif 000003
【図２】
0003101262.tif 000004
【図３】
0003101262.tif 000005
【図４】
0003101262.tif 000006
【図５】
0003101262.tif 000007
【図６】
0003101262.tif 000008
【図７】
0003101262.tif 000009
【図８】
0003101262.tif 000010